(57)【要約】【課題】この発明は、騒音及びコンクリート片の発生を伴うプラットホームでの穿設作業を削減でき、ホーム柵基礎構造の工事が大幅に短縮化され、またホーム柵を軌道に沿った所定の位置に容易に設置できるホーム柵基礎構造を得る。【解決手段】この発明に係るホーム柵基礎構造は、軌道に沿って延びたＰＣ板６と、このＰＣ板６に前記軌道に沿って埋設されているとともに直線状に延びたベース固定部材８と、このベース固定部材８に取付けられるととともに、ホーム柵２を固定するホーム柵ベース９とを備えたものである。【選択図】図１
2013103553.tif 000002
【特許請求の範囲】
【請求項１】
プラットホームの側縁部であって、軌道に沿って設置されるホーム柵を支持、固定するホーム柵基礎構造において、
前記軌道に沿って延びたプラットホーム基材と、
このプラットホーム基材に前記軌道に沿って埋設されているとともに直線状に延びたベース固定部材と、
このベース固定部材に取付けられるとともに、前記ホーム柵を固定するホーム柵ベースとを備えたことを特徴とするホーム柵基礎構造。
【請求項２】
前記ベース固定部材は、一対、平行に並んで配置されていることを特徴とする請求項１に記載されたホーム柵基礎構造。
【請求項３】
前記ベース固定部材は、断面形状が口の字形状であって、その上部には、スリットが直線状に形成されており、
このスリットを通過して、前記ホーム柵ベースを固定するためのボルトが前記ベース固定部材に係止されることを特徴とする請求項１または２に記載されたホーム柵基礎構造。
【請求項４】
前記ボルトは、この下端部に鍔部が設けられており、この鍔部は、前記スリットの両側の前記ベース固定部材の内側係止部に面接触して係止しており、
前記ホーム柵ベースは、前記ボルトの先端部が貫通する孔を有し、この孔を貫通した前記ボルトの前記先端部に螺着されたナットにより、前記ベース固定部材に固定されていることを特徴とする請求項３に記載されたホーム柵基礎構造。
【請求項５】
前記ホーム柵ベースの前記孔は、前記軌道に沿った方向の内径よりも軌道に沿った方向に対して直角方向の内径が大きい長孔であることを特徴とする請求項４に記載されたホーム柵基礎構造。
【請求項６】
前記プラットホーム基材には、前記軌道に沿って配線用配管が埋設されているとともに、前記プラットホームの上面からこの配線用配管に連通したケーブル入線孔が形成されており、
前記配線用配管内に敷設されるケーブルが前記ホーム柵内の機器と前記ケーブル入線孔を通じて接続されることを特徴とする請求項１〜５の何れか１項に記載されたホーム柵基礎構造。
【請求項７】
前記プラットホーム基材は、下部に前記軌道に沿って直線状の吊り金具固定部材が埋設されており、この吊り金具固定部材に固定された吊り金具に、ケーブルラックが吊り下げられ、このケーブルラック上に敷設されるケーブルが前記プラットホームの上面から下面に貫通して形成されたケーブル入線孔を通じて前記ホーム柵内の機器と接続されることを特徴とする請求項１〜５の何れか１項に記載されたホーム柵基礎構造。
【請求項８】
前記吊り金具固定部材は、断面形状が口の字形状であって、その下部には、前記吊り金具が通過して内側係止部に係止可能なスリットが直線状に形成されていることを特徴とする請求項７に記載されたホーム柵基礎構造。
【請求項９】
前記プラットホーム基材は、プレキャストコンクリートで構成されていることを特徴とする請求項１〜８の何れか１項に記載されたホーム柵基礎構造。
【請求項１０】
請求項１に記載されたホーム柵基礎構造における、ホーム柵基礎構造の工事方法であって、
前記ベース固定部材が埋設された前記プラットホーム基材の上面に設けられた表装部材に前記ホーム柵ベースのベース取付部位を形成するベース取付部位形成工程と、
このベース取付部位で前記ホーム柵ベースを前記ベース固定部材に固定するホーム柵ベース固定工程とを備え、
前記ホーム柵ベースにホーム柵が据付けられることを特徴とするホーム柵基礎構造の工事方法。
【請求項１１】
前記ホーム柵ベースの前記ベース取付部位が形成されてから、前記ホーム柵ベースに前記ホーム柵の据付けが終了するまでの工事期間中の工事中断期間には、前記ベース取付部位を覆って養生する覆工板が前記ベース固定部材に着脱自在に取付けられていることを特徴とする請求項１０に記載されたホーム柵基礎構造の工事方法。
【発明の詳細な説明】
【技術分野】
【０００１】
この発明は、プラットホームの側縁部であって、軌道に沿って設置されるホーム柵を支持、固定するホーム柵基礎構造、及びこの工事方法に関する。
【背景技術】
【０００２】
従来、例えば、プラットホームの側縁部に沿って配置されたホーム柵の軌道側下方及び反軌道側下方のプラットホームにそれぞれ分離独立して設けられた取付孔と、この取付孔にそれぞれ設けられた固定金具と、プラットホーム及び固定金具の間の取付孔に充填された充填材とを備え、ホーム柵の軌道側下部が、軌道側の取付孔に設けられた固定金具に、またホーム柵の反軌道側下部が、反軌道側の取付け孔に設けられた固定金具にそれぞれ固定されるホーム柵固定装置が知られている（例えば、特許文献１参照）。
【先行技術文献】
【特許文献】
【０００３】
【特許文献１】特開２００５-３０６２２９号公報（図３）
【発明の概要】
【発明が解決しようとする課題】
【０００４】
上記ホーム柵固定装置は、プラットホームにホーム柵を据付けるには、プラットホームの所定の位置に複数の上面から下面を貫通した取付孔を穿設しなければならないので、正確な穿設位置が要求される作業を限られた時間で行なわなければならず、またその穿設作業に伴う、騒音及びコンクリート片の発生を避けることができないという問題点があった。
【０００５】
この発明は、かかる問題点を解決することを課題とするものであって、騒音及びコンクリート片の発生を伴うプラットホームでの上記取付孔の穿設作業が不要となり、ホーム柵基礎構造の工事が大幅に短縮化され、またホーム柵を軌道に沿った所定の位置に容易に設置できる、ホーム柵基礎構造、及びその工事方法を得ることを目的とする。
【課題を解決するための手段】
【０００６】
この発明に係るホーム柵基礎構造では、プラットホームの側縁部であって、軌道に沿って設置されるホーム柵を支持、固定するホーム柵基礎構造において、
前記軌道に沿って延びたプラットホーム基材と、
このプラットホーム基材に前記軌道に沿って埋設されているとともに直線状に延びたベース固定部材と、
このベース固定部材に取付けられるとともに、前記ホーム柵を固定するホーム柵ベースとを備えたものである。
【０００７】
また、この発明に係るホーム柵基礎構造の工事方法は、ベース固定部材が埋設されたプラットホーム基材の上面に設けられた表装部材に前記ホーム柵ベースのベース取付部位を形成するベース取付部位形成工程と、
このベース取付部位で前記ホーム柵ベースを前記ベース固定部材に固定するホーム柵ベース固定工程とを備え、
前記ホーム柵ベースにはホーム柵が据付けられる。
【発明の効果】
【０００８】
この発明に係るホーム柵基礎構造によれば、軌道に沿って延びたプラットホーム基材と、このプラットホーム基材に前記軌道に沿って埋設されているとともに直線状に延びたベース固定部材と、このベース固定部材に取付けられるととともに、ホーム柵を固定するホーム柵ベースとを備えたので、プラットホームにホーム柵を据付ける際のホーム柵基礎構造の工事では、軌道に沿ってプラットホーム基材を設置した後、直線状に延びたベース固定部材の所望の位置にホーム柵ベースを固定することで、ホーム柵を軌道に沿った所定の位置に容易に設置できる。
また、従来の取付孔の穿設作業が不要となり、穿設作業に伴う騒音及びコンクリート片の発生を避けることができる。
【０００９】
また、この発明に係るホーム柵基礎構造の工事方法によれば、ベース固定部材が埋設されたプラットホーム基材の上面に設けられた表装部材に前記ホーム柵ベースのベース取付部位を形成するベース取付部位形成工程と、このベース取付部位で前記ホーム柵ベースを前記ベース固定部材に固定するホーム柵ベース固定工程とを備えたので、時間を要する従来の取付孔の穿設作業が不要となり、工事時間が大幅に短縮される。
【図面の簡単な説明】
【００１０】
【図１】この発明の実施の形態１のホーム柵基礎構造を示す斜視図である。
【図２】図１のホーム柵基礎構造の一部正断面図である。
【図３】図２の側断面図である。
【図４】図１のベース固定部材を示す斜視図である。
【図５】図１のホーム柵ベースを示す斜視図である。
【図６】図６（ａ）は、プラットホームのＰＣ板の側縁の断面図、図６（ｂ）は、図６（ａ）の平面図である。
【図７】図７（ａ）は、ＰＣ板上にアスファルトを設けたときの断面図、図７（ｂ）は、図７（ａ）の平面図である。
【図８】図８（ａ）は、ベース固定部材にホーム柵ベースを設置したときの断面図、図８（ｂ）は、図８（ａ）の平面図である。
【図９】図９（ａ）は、ホーム柵ベース下面までグラウトを注入したときの断面図、図９（ｂ）は、図９（ａ）の平面図である。
【図１０】図１０（ａ）は、据付け用治具をホーム柵ベースから取り除いたときの断面図、図１０（ｂ）は、図１０（ａ）の平面図である。
【図１１】図１１（ａ）は、グラウト硬化後のボルトを本締めしたときの断面図、図１１（ｂ）は、図１１（ａ）の平面図である。
【図１２】図１２（ａ）は、ケーブル入線孔を形成したときの断面図、図１２（ｂ）は、図１２（ａ）の平面図である。
【図１３】図１３（ａ）は、配線用配管にケーブルが敷設されたときの断面図、図１３（ｂ）は、図１３（ａ）の平面図である。
【図１４】図１４（ａ）は、ホーム柵をホーム柵ベースに固定し、またホーム柵にケーブルを結線したときの断面図、図１４（ｂ）は、図１４（ａ）の平面図である。
【図１５】図１５（ａ）は、ホーム柵ベース上にさらにグラウトを注入したときの断面図、図１５（ｂ）は、図１５（ａ）の平面図である。
【図１６】この発明の実施の形態２のホーム柵基礎構造を示す一部正断面図である。
【図１７】図１６の側断面図である。
【発明を実施するための形態】
【００１１】
以下、この発明の各実施の形態について図に基づいて説明するが、各図において同一、または相当部材、部位については、同一符号を付して説明する。
実施の形態１．
図１は、この発明の実施の形態１のホーム柵基礎構造を示す説明図である。
ホーム柵２は、プラットホーム１上の側縁に沿って複数個隣接して立設され、乗客の軌道への転落防止を図るものである。
このホーム柵２は、軌道に沿って往復動して開閉する可動扉部３と、この可動扉部３が開いたときに可動扉部３を収納する、戸袋部４及び固定柵部５とを備えている。
【００１２】
前記ホーム柵２は、プラットホーム１の側縁部を構成するホーム柵基礎構造に据付けられている。
プラットホーム１は、プラットホーム基材であるプレキャストコンクリート板６（以下、ＰＣ板と略称する。）と、このＰＣ板６上に設けられた、表装部材であるアスファルト１２とを備えている。
図２は、ホーム柵２の戸袋部４でのホーム柵基礎構造を示す正断面図、図３は図２の側断面図である。なお、戸袋部４内における、可動扉部３を駆動する駆動モータ等は省略されている。
このホーム柵基礎構造は、軌道に沿って延びたプラットホーム基材であるプレキャストコンクリート板６（以下、ＰＣ板と略称する。）と、この直方体形状のＰＣ板６に埋設された、図４に示す一対のベース固定部材８と、一対の直線状のベース固定部材８間を跨いで設けられ、ボルト１０及びナット１１，２３によりベース固定部材８に固定された、図５に示すホーム柵ベース９とを備えている。
また、このホーム柵基礎構造は、ホーム柵ベース９の下側であってＰＣ板６に埋設された一対の直線状の配線用配管７と、ＰＣ板６上であってホーム柵ベース９の周囲の一面に設けられた表装部材であるアスファルト１２と、ホーム柵ベース９上に設けられたグラウト材１５とを備えている。
【００１３】
ベース固定部材８は、プラットホーム１の側縁に沿って一対平行に延びて設けられている。それぞれのベース固定部材８は、断面口の字形状で、上面にスリット８ｂが形成されている。このベース固定部材８は、その底面部に軌道に沿った方向に一定の間隔で複数の棒状の埋込部材（図示せず）が設けられている。この埋込部材は、ＰＣ板６に埋設しており、ベース固定部材８のＰＣ板６に対する耐引抜き強度を確保することを目的としている。
【００１４】
ホーム柵ベース９は、矩形状のベース本体９ａの中間部に突出部９ｂが固定されている。この突出部９ｂは、断面コの字形状をしており、軌道に沿った方向に開口している。この突出部９ｂには、ホーム柵固定用孔９ｄが形成されている。このホーム柵固定用孔９ｄを通じてボルト２５によりホーム柵２の戸袋部４がホーム柵ベース９に固定されている。
ベース本体９ａの両側には、それぞれ長孔９ｃが形成されている。
この長孔９ｃは、軌道に沿った方向の内径よりも軌道に沿った方向に対して直角方向の内径が大きい。
一方の長孔９ｃからは、一方のベース固定部材８のスリット８ｂを貫通したボルト１０のネジ部１０ｂの上端部が突出している。他方の長孔９ｃからも、他方のベース固定部材８のスリット８ｂを貫通したボルト１０のネジ部１０ｂの上端部が突出している。
それぞれのボルト１０の下端部に形成された鍔部１０ａは、その裏面にナット２３が溶接により固着されている。この鍔部１０ａは、ベース固定部材８の内側係止部８ａに当接し、ナット１１を締付けることで、ホーム柵ベース９は、ベース固定部材８に固定される。
【００１５】
次に、上記ホーム柵基礎構造の工事方法、及びホーム柵２の戸袋部４の据付方法について説明する。
先ず、ベース固定部材８及び配線用配管７が埋設されたプラットホーム基材であるＰＣ板６を、軌道に沿って設置する（図６（ａ），（ｂ）参照）。
このプラットホーム基材設置工程の後、ＰＣ板６上であってホーム柵ベース９が固定される部位に型枠１６を載置し、この型枠１６の周囲の一面にアスファルト１２を流し込み、前記ホーム柵ベース９のベース取付部位を形成する（図７（ａ），（ｂ）参照）。
このベース取付部位形成工程の終了後は、型枠１６を覆工板１４で覆う。
この覆工板１４は、ベース取付部位形成工程の後ホーム柵２の据付けが完了するまでの工事期間中、ベース取付部位を覆って養生するものであって、ベース固定部材８に着脱自在に設けられている。
【００１６】
アスファルト１２が硬化した後、複数のホーム柵ベース９をベース固定部材８にボルト１０及びナット１１を用いて固定する。この際には、断面Ｌの字形状の一対の据付け用治具１３を用いて隣接したホーム柵ベース９同士を連結し、かつ据付け用治具１３の両端の高さをジャッキボルト（図示せず）を用いることで、隣接したホーム柵ベース９同士の水平高さを一致させる（図８（ａ），（ｂ）参照）。
このホーム柵ベース固定工程の後、アスファルト１２で覆われていない、ホーム柵ベース９の部位に１回目のグラウト材１５をベース本体９ａの上面から数ｍｍ程度下まで注入する（図９（ａ），（ｂ）参照）。
この作業終了後、グラウト材１５が硬化した後、据付け用治具１３をホーム柵ベース９から取り外し、引き続き覆工板１４でホーム柵ベース９を覆い、数週間放置する（図１０（ａ），（ｂ）参照）。
この放置により、グラウト材１５が確実に硬化した後、ナット１１を締めることで、ホーム柵ベース９をベース固定部材８に強固に固定する（図１１（ａ），（ｂ）参照）。
【００１７】
次に、プラットホーム１を穿設して、配線用配管７に連通したケーブル入線孔１７を形成する（図１２（ａ），（ｂ）参照）。
この穿設工程の後、配線用配管７内にケーブル１８を配線する（図１３（ａ），（ｂ）参照）。
引き続き、ボルト２５を用いてホーム柵固定用孔９ｄを通じてホーム柵２の戸袋部４をホーム柵ベース９に固定する。
この後、このケーブル１８の先端部をホーム柵２内の各機器（図示せず）に接続する（（図１４（ａ），（ｂ）参照）。
このケーブル接続工程の後、先に注入したグラウト材１５の上面に、２回目のグラウト材１５を周囲のアスファルト１２の高さまで注入し、グラウト材１５を硬化させる。
【００１８】
上記実施の形態のホーム柵基礎構造によれば、軌道に沿って延びたＰＣ板６と、このＰＣ板６に軌道に沿って埋設されているとともに直線状に延びたベース固定部材８と、このベース固定部材８に取付けられるととともに、ホーム柵２を固定するホーム柵ベース９とを備えている。
従って、プラットホーム１にホーム柵２を据付ける際のホーム柵基礎構造の工事では、軌道に沿ってＰＣ板６を設置した後、直線状に延びたベース固定部材８の所望の位置にホーム柵ベース９を固定することで、ホーム柵２の戸袋部４を軌道に沿った所定の位置に容易に設置できる。
【００１９】
また、ベース固定部材８は、一対、平行に並んで配置されているので、ホーム柵２の戸袋部４は、ホーム柵ベース９に安定して固定される。
【００２０】
また、ベース固定部材８は、断面形状が口の字形状であって、その上部には、スリット８ｂが直線状に形成されており、このスリット８ｂを通過してホーム柵ベース９を固定するためのボルト１０がベース固定部材８に係止されるようになっているので、ホーム柵ベース９をスリット８ｂに沿って移動することで、ホーム柵２を軌道方向の所定の位置に簡単に位置決めすることができる。
【００２１】
また、ボルト１０は、この下端部に鍔部１０ａが設けられており、この鍔部１０ａは、スリット８ｂの両側のベース固定部材８の内側係止部８ａに面接触して係止しており、ホーム柵ベース９は、ボルト１０の先端部が貫通する長孔９ｃを有し、この長孔９ｃを貫通したボルト１０の先端部に螺着されたナット１１により、ベース固定部材８に固定されているので、ホーム柵ベース９は、ベース固定部材８に簡単に取付けることができる。
【００２２】
また、長孔９ｃは、軌道に沿った方向の内径よりも軌道に沿った方向に対して直角方向の内径が大きいので、ホーム柵ベース９のスリット８ｂによる軌道に沿った方向の位置調整とともに、軌道に沿った方向に対して直角方向に対する微妙な位置調整も可能となり、それだけホーム柵２の戸袋部４をプラットホーム１の所定の位置に据付けることができる。
【００２３】
また、ＰＣ板６には、ケーブル１８が敷設される配線用配管７が埋設されているので、ＰＣ板６の外部にケーブル１８用のスペースを確保する必要がなく、簡素化できる。
また、配線用配管７内に敷設されるケーブル１８は、ホーム柵２内の機器とケーブル入線孔１７を通じて簡単に接続できる。
【００２４】
また、上記構成のホーム柵基礎構造の工事方法によれば、ベース固定部材８が埋設されたＰＣ板６の上面に設けられたアスファルト１２にホーム柵ベース９のベース取付部位を形成するベース取付部位形成工程と、このベース取付部位でホーム柵ベース９をベース固定部材８に固定するホーム柵ベース固定工程とを備えたので、従来の取付孔の穿設作業が不要となり、プラットホーム１にホーム柵２の戸袋部４を据付けるまでの一連の作業工数を大幅に削減することができ、また作業時間も短縮化をされる。
また、上記構成のホーム柵基礎構造の工事方法によれば、引き続きプラットホーム１に配線用配管７に通じるケーブル入線孔１７を形成する穿設工程と、ホーム柵ベース９に設置されたホーム柵２内の機器に、配線用配管７に敷設されたケーブル１８の端部をケーブル入線孔１７を通じて接続するケーブル接続工程とを備えているので、配線用配管７内に敷設されるケーブル１８は、ホーム柵２内の機器とケーブル入線孔１７を通じて簡単に接続される。
【００２５】
また、ホーム柵ベース９のベース取付部位が形成されてからホーム柵ベース固定工程の終了までの工事期間中の工事中断期間は、ベース取付部位は、ベース固定部材８に着脱自在に取付けられた覆工板１４で覆われており、ホーム柵ベース９及びグラウト材１５は、養生される。
【００２６】
実施の形態２．
図１６はこの発明の実施の形態２のホーム柵基礎構造を示す一部正断面図、図１７は図１６の側断面図である。
この実施の形態では、ＰＣ板６には、実施の形態１のホーム柵基礎構造と異なり、配線用配管７が埋設されていない。このＰＣ板６の下部には、ベース固定部材８に対向して一対の吊り金具固定部材２０が設けられている。この吊り金具固定部材２０は、断面口の字形状をしており、この下部にスリット部が形成されている。
各吊り金具固定部材２０は、そのスリット部に吊り金具２２の抜け止め金具３２が係止している。吊り金具２２の下端部には、ナット３１で係止された支持金具３０が設けられている。この支持金具３０には軌道方向に沿って延びたケーブルラック２１が取付けられている。
また、プラットホーム１には、プラットホーム１の上面から下面に貫通して穿設されたケーブル入線孔２４が形成されている。
他の構成は、実施の形態１のホーム柵基礎構造と同じである。
【００２７】
この実施の形態２によるホーム柵基礎構造の工事方法では、ケーブル接続工程が実施の形態１のケーブル接続工程と異なる。
即ち、この実施の形態２のケーブル接続工程では、ホーム柵ベース９に設置されたホーム柵２内の機器に、ケーブルラック２１上に敷設されるケーブル１８が、プラットホーム１に形成されたケーブル入線孔２４を通じてホーム柵２内の機器と接続される。
他の各工程は、実施の形態１のホーム柵基礎構造の工事方法と同じである。
【００２８】
また、吊り金具固定部材２０は、断面形状が口の字形状であって、その下部には、吊り金具２２の抜け止め金具３２が係止するスリット部が直線状に形成されているので、吊り金具固定部材２０に吊り金具２２を簡単に取付けることができるとともに、所望の位置に吊り金具２２を簡単に設けることができる。
【００２９】
以上、上記実施の形態１，２では、プラットホーム１にホーム柵２の戸袋部４を据付ける場合について説明したが、ホーム柵２の固定柵部５についても、ホーム柵基礎構造は、実施の形態１，２の戸袋部４の基礎構造と同じである。
また、固定柵部５の工事方法も戸袋部４と同様の手順である。
従って、ホーム柵２の固定柵部５についてのホーム柵基礎構造、及び工事方法の説明は省略する。
【００３０】
なお、上記実施の形態１，２では、ボルト１０の下端部に形成された鍔部１０ａは、その裏面にナット２３が溶接により固着されているが、ナット２３を用いずに、ボルト１０の端部に鍔部１０ａを直接溶接してもよいし、鍛造により鍔部１０ａ付きのボルト１０を形成するようにしてもよい。
また、実施の形態１，２では、プラットホーム基材としてプレキャストコンクリート板６を用いて説明したが、勿論このコンクリート板に限定されるものではない。
また、表装部材としてアスファルト１２を用いたが、表装部材は例えばモルタル上にタイルを貼付けたものであってもよい。
また、ベース取付部位の形成にあたっては、型枠１６を使用して表装部材の無い部位を形成した場合について説明したが、表装部材を設置する作業時にホーム柵ベース９の取付位置が決定していない場合などでは、プレキャストコンクリート板６の上側全面に表装部材を設けた後に、ホーム柵ベース９が固定される部位の表装部材を削り、除去することでベース取付部位を形成してもよい。
また、直線状のベース固定部材８は、プレキャストコンクリート板６に一対埋設された例で説明したが、単体であってもよい。
【符号の説明】
【００３１】
１  プラットホーム、２  ホーム柵、３  可動扉部、４  戸袋部、５  固定柵部、６  プレキャストコンクリート板（プラットホーム基材）、７  配線用配管、８  ベース固定部材、８ａ  係止部、８ｂ  スリット、９  ホーム柵ベース、９ａ  ベース本体、９ｂ  突出部、９ｃ  ベース固定部材用長孔、９ｄ  ホーム柵固定用孔、１０，２５  ボルト、１０ａ  鍔部、１０ｂ  ネジ部、１１  ナット、１２  アスファルト（表装部材）、１３  据付け用治具、１４  覆工板、１５  グラウト材、１６  型枠、１７，２４  ケーブル入線孔、１８  ケーブル、１９，２５  ボルト、２０  吊り金具固定部材、２１  ケーブルラック、２２  吊り金具、２３  ナット、３０  支持金具、３１  ナット、３２  抜け止め金具。
【図１】
2013103553.tif 000003
【図２】
2013103553.tif 000004
【図３】
2013103553.tif 000005
【図４】
2013103553.tif 000006
【図５】
2013103553.tif 000007
【図６】
2013103553.tif 000008
【図７】
2013103553.tif 000009
【図８】
2013103553.tif 000010
【図９】
2013103553.tif 000011
【図１０】
2013103553.tif 000012
【図１１】
2013103553.tif 000013
【図１２】
2013103553.tif 000014
【図１３】
2013103553.tif 000015
【図１４】
2013103553.tif 000016
【図１５】
2013103553.tif 000017
【図１６】
2013103553.tif 000018
【図１７】
2013103553.tif 000019